【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
入力されたデータに対して処理を施して出力する前段信号処理回路と、
入力されたデータに対して、前記前段信号処理回路による処理後のデータに施すべき処理を施して出力する後段信号処理回路と、を備え、
入力されたデータに対して、前記前段信号処理回路によって処理を施した後、前記後段信号処理回路によって処理を施して出力する第１状態、
入力されたデータに対して前記前段信号処理回路によって処理を施して出力する第２状態、又は、
入力されたデータに対して前記後段信号処理回路によって処理を施して出力する第３状態、
のいずれかの状態に切り替え可能に構成され、
前記前段信号処理回路は、
入力されたカラー映像データに基づいて、複数の色の情報を利用した処理を実行すると共に、色ごとの映像データを出力し、
前記後段信号処理回路は、色ごとに、複数、設けられ、
前記第１状態では、色ごとに設けられた前記後段信号処理回路のそれぞれは、色ごとの映像データが入力されると共に、入力された対応する色の映像データに基づいて処理を実行することを特徴とする信号処理回路。
【請求項２】
前記前段信号処理回路、及び、前記後段信号処理回路は、メモリーに接続され、
前記前段信号処理回路が出力したデータが前記メモリーに一時記憶され、前記メモリーに一時記憶されたデータが前記後段信号処理回路に入力されることを特徴とする請求項１に記載の信号処理回路。
【請求項３】
前記第３状態では、複数の前記後段信号処理回路が、１の色の映像データに基づく処理を協働して実行することを特徴とする請求項１又は２に記載の信号処理回路。
【請求項４】
色ごとの前記後段信号処理回路の他に、他の前記後段信号処理回路を備え、
前記第１状態では、色ごとに設けられた前記後段信号処理回路のそれぞれが、入力された対応する色の映像データに基づいて処理を実行する一方、他の前記後段信号処理回路は処理を実行せず、
前記第３状態では、他の前記後段信号処理回路を含む複数の前記後段信号処理回路が、１の色の映像データに基づく処理を協働して実行することを特徴とする請求項３に記載の信号処理回路。
【請求項５】
入力されたデータに対して処理を施して出力する前段信号処理回路と、入力されたデータに対して、前記前段信号処理回路による処理後のデータに施すべき処理を施して出力する後段信号処理回路と、が設けられ、入力されたデータに対して、前記前段信号処理回路によって処理を施した後、前記後段信号処理回路によって処理を施して出力する第１状態、入力されたデータに対して前記前段信号処理回路によって処理を施して出力する第２状態、又は、入力されたデータに対して前記後段信号処理回路によって処理を施して出力する第３状態、のいずれかの状態に切り替え可能に構成された信号処理回路が実装され、
前記信号処理回路が単体で実装される場合は、実装される前記信号処理回路の状態が前記第１状態に切り替えられ、
複数の前記信号処理回路が組み合わせて実装される場合は、前段に実装される前記信号処理回路の状態が第２状態に切り替えられると共に、後段に実装される前記信号処理回路の状態が前記第３状態に切り替えられ、
前記信号処理回路の前記前段信号処理回路は、
入力されたカラー映像データに基づいて、複数の色の情報を利用した処理を実行すると共に、色ごとの映像データを出力し、
前記信号処理回路の前記後段信号処理回路は、
色ごとに、複数、設けられ、
前記信号処理回路が単体で実装され、実装される前記信号処理回路の状態が前記第１状態に切り替えられている場合、
色ごとに設けられた前記信号処理回路の前記後段信号処理回路のそれぞれは、
色ごとの映像データが入力されると共に、入力された対応する色の映像データに基づいて処理を実行することを特徴とする回路基板。
【請求項６】
前記信号処理回路の前記前段信号処理回路、及び、前記後段信号処理回路は、メモリーに接続され、前記前段信号処理回路が出力したデータが前記メモリーに一時記憶され、前記メモリーに一時記憶されたデータが前記後段信号処理回路に入力されることを特徴とする請求項５に記載の回路基板。
【請求項７】
複数の前記信号処理回路が組み合わせて実装される場合、後段には、色ごとに複数の前記信号処理回路が実装され、かつ、前段に実装される前記信号処理回路の状態が第２状態に切り替えられると共に、後段に実装される前記信号処理回路のそれぞれの状態が前記第３状態に切り替えられ、
前記第２状態に係る前段の前記信号処理回路は、入力されたカラー映像データに基づいて、色ごとの映像データを、対応する後段の前記信号処理回路に出力し、
前記第３状態に係る後段の前記信号処理回路のそれぞれでは、複数の前記後段信号処理回路が、入力された１の色の映像データに基づく処理を協働して実行することを特徴とする請求項５又は６に記載の回路基板。
【請求項８】
前記信号処理回路は、色ごとの前記後段信号処理回路の他に、他の前記後段信号処理回路を備え、
前記第１状態では、色ごとに設けられた前記後段信号処理回路のそれぞれが、入力された対応する色の映像データに基づいて処理を実行する一方、他の前記後段信号処理回路は処理を実行せず、
前記第３状態では、他の前記後段信号処理回路を含む複数の前記後段信号処理回路が、１の色の映像データに基づく処理を協働して実行することを特徴とする請求項７に記載の回路基板。
【請求項９】
色ごとに光変調部を備えると共に、色ごとの前記光変調部が変調した光を投射する投射部を備えるプロジェクターであって、
入力されたカラー映像データに基づいて、複数の色の情報を利用した処理を実行すると共に、色ごとの映像データを出力する前段信号処理回路が設けられると共に、入力された対応する色の映像データに基づいて処理を実行する後段信号処理回路が色ごとに複数設けられ、入力されたデータに対して、前記前段信号処理回路によって処理を施した後、前記後段信号処理回路によって処理を施して出力する第１状態、入力されたデータに対して前記前段信号処理回路によって処理を施して出力する第２状態、又は、入力されたデータに対して前記後段信号処理回路によって処理を施して出力する第３状態、のいずれかの状態に切り替え可能に構成された信号処理回路が実装され、
前記信号処理回路が単体で実装される場合は、実装される前記信号処理回路の状態が前記第１状態に切り替えられ、複数の前記信号処理回路が組み合わせて実装される場合は、前段に実装される前記信号処理回路の状態が第２状態に切り替えられると共に、後段に実装される前記信号処理回路の状態が前記第３状態に切り替えられる回路基板を備えることを特徴とするプロジェクター。
【請求項１０】
前記前段信号処理回路、及び、前記後段信号処理回路は、メモリーに接続され、
前記前段信号処理回路が出力したデータが前記メモリーに一時記憶され、前記メモリーに一時記憶されたデータが前記後段信号処理回路に入力されることを特徴とする請求項９に記載のプロジェクター。
【請求項１１】
前記第３状態では、複数の前記後段信号処理回路が、１の色の映像データに基づく処理を協働して実行することを特徴とする請求項９又は１０に記載のプロジェクター。
【請求項１２】
色ごとの前記後段信号処理回路の他に、他の前記後段信号処理回路を備え、
前記第１状態では、色ごとに設けられた前記後段信号処理回路のそれぞれが、入力された対応する色の映像データに基づいて処理を実行する一方、他の前記後段信号処理回路は処理を実行せず、
前記第３状態では、他の前記後段信号処理回路を含む複数の前記後段信号処理回路が、１の色の映像データに基づく処理を協働して実行することを特徴とする請求項１１に記載のプロジェクター。
【手続補正２】
【補正対象書類名】明細書
【補正対象項目名】０００７
【補正方法】変更
【補正の内容】
【０００７】
また、本発明は、前記前段信号処理回路は、入力されたカラー映像データに基づいて、複数の色の情報を利用した処理を実行すると共に、色ごとの映像データを出力し、前記後段信号処理回路は、色ごとに、複数、設けられ、前記第１状態では、色ごとに設けられた前記後段信号処理回路のそれぞれは、色ごとの映像データが入力されると共に、入力された対応する色の映像データに基づいて処理を実行することを特徴とする。
この構成によれば、入力されたカラー映像信号に基づく処理を実行する装置について、要求される処理能力が低い場合は信号処理回路を１つ用いて処理システムを構築し、要求される処理能力が高い場合は信号処理回路を複数用いて処理システムを構築できる。すなわち、コストを削減しつつ、処理能力に応じた処理システムの構築が可能となる。
【手続補正３】
【補正対象書類名】明細書
【補正対象項目名】０００９
【補正方法】変更
【補正の内容】
【０００９】
また、本発明は、色ごとの前記後段信号処理回路の他に、他の前記後段信号処理回路を備え、前記第１状態では、色ごとに設けられた前記後段信号処理回路のそれぞれが、入力された対応する色の映像データに基づいて処理を実行する一方、他の前記後段信号処理回路は処理を実行せず、前記第３状態では、他の前記後段信号処理回路を含む複数の前記後段信号処理回路が、１の色の映像データに基づく処理を協働して実行する。
この構成によれば、第３状態において、他の前記後段信号処理回路を利用して、高い処
理能力で、１の色の映像データに基づく処理を実行できる。
【手続補正４】
【補正対象書類名】明細書
【補正対象項目名】００１２
【補正方法】変更
【補正の内容】
【００１２】
また、本発明は、前記信号処理回路の前記前段信号処理回路は、入力されたカラー映像データに基づいて、複数の色の情報を利用した処理を実行すると共に、色ごとの映像データを出力し、前記信号処理回路の前記後段信号処理回路は、色ごとに、複数、設けられ、前記信号処理回路が単体で実装され、実装される前記信号処理回路の状態が前記第１状態に切り替えられている場合、色ごとに設けられた前記信号処理回路の前記後段信号処理回路のそれぞれは、色ごとの映像データが入力されると共に、入力された対応する色の映像データに基づいて処理を実行することを特徴とする。
この構成によれば、入力されたカラー映像信号に基づく処理を実行する装置について、要求される処理能力が低い場合は信号処理回路を単体で回路基板に実装して処理システムを構築し、要求される処理能力が高い場合は信号処理回路を複数回路基板に実装して処理システムを構築できる。すなわち、コストを削減しつつ、処理能力に応じた処理システムの構築が可能となる。
【手続補正５】
【補正対象書類名】明細書
【補正対象項目名】００１４
【補正方法】変更
【補正の内容】
【００１４】
また、本発明は、前記信号処理回路は、色ごとの前記後段信号処理回路の他に、他の前記後段信号処理回路を備え、前記第１状態では、色ごとに設けられた前記後段信号処理回路のそれぞれが、入力された対応する色の映像データに基づいて処理を実行する一方、他の前記後段信号処理回路は処理を実行せず、前記第３状態では、他の前記後段信号処理回路を含む複数の前記後段信号処理回路が、１の色の映像データに基づく処理を協働して実行することを特徴とする。
この構成によれば、第３状態において、他の前記後段信号処理回路を利用して、高い処理能力で、１の色の映像データに基づく処理を実行できる。